(57)【要約】【課題】誰もが自然の温もりを感じられる色合いで描画できる固形描画材およびその製造方法を提供する。【解決手段】形状を保持する形成材と、描画軌跡の描画色をなす色材とを有する固形描画材であって、色材として、描画色を構成する主成分として植物の所望部位を乾燥させた植物色材を含有している固形描画具。色材は、植物色材の色を補助する補助顔料を含有している。この補助顔料は、混合することによって植物色材と同一色または近似色に調整される複数色の顔料により構成されている。【選択図】なし【特許請求の範囲】
【請求項１】
形状を保持する形成材と、描画軌跡の描画色をなす色材とを有する固形描画材であって、
前記色材は、前記描画色を構成する主成分として植物の所望部位を乾燥させた植物色材を含有している
固形描画材。
【請求項２】
前記色材は、前記植物色材の色を補助する補助顔料を含有している
請求項１記載の固形描画材。
【請求項３】
前記補助顔料は、混合することによって前記植物色材と同一色または近似色に調整される複数色の顔料により構成されている
請求項２記載の固形描画材。
【請求項４】
前記補助顔料は、前記植物色材に対して５０重量％以下である
請求項３記載の固形描画材。
【請求項５】
前記形成材は、人が食しても安全な可食性ワックスにより構成され、
前記植物色材および前記補助顔料は、粉末状のものを用い、
前記植物色材と前記補助顔料を溶かす液として人が食しても安全な可食性油を用いた
請求項２、３、または４記載の固形描画材。
【請求項６】
形状を保持する形成材と、描画軌跡の描画色をなす色材とを有する固形描画材を製造する固形描画材製造方法であって、
前記色材に、前記描画色を構成する主成分として植物の所望部位を乾燥させた植物色材を含有するものを用い、
８５℃〜１４０℃に加熱した熱釜内で前記形成材を溶かして前記色材を含む全材料を混合し、
出来上がった混合物を型枠に流し込み冷却または除熱して、
前記植物色材のもつやさしい色を前記描画色とする固形描画材を得る
固形描画材の製造方法。
【発明の詳細な説明】
【技術分野】
【０００１】
この発明は、例えば紙やキャンバス等の描画対象に描くとその描画軌跡に色が付着して描画できる固形描画材およびその製造方法に関する。
【背景技術】
【０００２】
従来、クレヨン等の固形描画材は、ワックス等の形成材に色素材として顔料を混合して形成されている。固形描画材は、色鮮やかな多数の色を取りそろえてセット販売されることが多い。例えば、１２色セットのクレヨンとして、白色、灰色、黒色、茶色、肌色、桃色、赤色、黄色、黄緑色、緑色、青色、水色が包装容器内に収納される例がある。また、１６色セットのクレヨンとして、洋紅色、朱色、オレンジ、ゴールデンイエロー、レモンイエロー、黄緑色、緑青緑色、青ウルトラマリンブルー色、青紫色、赤紫色、赤褐色、黄褐色、黒色、白色が包装容器内に収納される例もある。
【０００３】
こういった固形描画材は、明るく鮮やかな色合いを有しており、児童や幼児であっても色鮮やかな作品を描けるという特徴がある。
【０００４】
しかし、こういった従来の固形描画材は、野菜や果物など自然にある物を描くと、不自然に鮮やかな野菜や果物となってしまうという問題点があった。このため、出来上がった作品は、自然の温もりを感じ難いものとなっていた。
【０００５】
固形描画材に天然素材を用いるものとしては、例えば、文具用発香画具の製造方法が提案されている（特許文献１参照）。この文献には、りんご、スイカ、パイナップル、およびオレンジといった果物についての記載がある。
【０００６】
しかし、この文献による技術は、果物を液状の発香剤として利用するものであり、色合いを構成するのは顔料でしかない。このため、色合いとしては従来と変わりのないものであった。
【先行技術文献】
【特許文献】
【０００７】
【特許文献１】特表２００８−５２７１１０号公報
【発明の概要】
【発明が解決しようとする課題】
【０００８】
この発明は、上述の問題に鑑みて、誰もが自然の温もりを感じられる色合いで描画できる固形描画材およびその製造方法を提供し、利用者の満足度を向上させることを目的とする。
【課題を解決するための手段】
【０００９】
この発明は、形状を保持する形成材と、描画軌跡の描画色をなす色材とを有する固形描画材であって、前記色材は、前記描画色を構成する主成分として植物の所望部位を乾燥させた植物色材を含有している固形描画材およびその製造方法であることを特徴とする。
【発明の効果】
【００１０】
この発明により、誰もが自然の温もりを感じられる色合いで描画できる固形描画材およびその製造方法を提供し、利用者の満足度を向上させることができる。
【発明を実施するための形態】
【００１１】
本発明者は、自然素材そのものの色で描くことができる固形描画材の実現を目指し、鋭意研究をした。
【００１２】
最初、色材（描画軌跡の色を構成する材料）として植物の特徴的な色を有する部位（例えば野菜や果物の食用部あるいは皮等）をそのまま用いるべく、キャベツの葉、カボチャの実、リンゴの果実等を粉砕等して混合することを考えた。しかし、この方法では、植物の種類によって水分量も異なり、崩れずに描画できる硬度を維持し、かつ描画軌跡にしっかりとした色を発現させる固形描画具を得ることが困難であった。
【００１３】
次に、野菜や果物の食用部を乾燥させて粉末とし、この粉末を色材とすることを考えた。しかし、形成材であるワックスを混合しやすくするために熱によって十分に溶かして前記粉末を混合すると、粉末が焦げてしまうという問題が生じた。焦げてしまうと植物本来の色が失われるため、製品として成立しないという問題があった。
【００１４】
そこで、野菜や果物の食用部を乾燥させて粉末とするから焦げるのであって、完全には乾燥させず水分を残せば焦げを防げるのではないかと考え、ある程度脱水して乾燥する前の状態の色材とした。しかし、何度実験しても、崩れずに描画できる硬度を維持し、かつ描画軌跡にしっかりとした色を発現させることが困難であった。
【００１５】
次に、本来高温である方が撹拌しやすく混合させやすいワックスを、従来より低い温度で溶解して粉末を混合することを試みた。条件を変えて何度か試すと、粉末の色材を焦がすことなく混合することに成功した。しかし、出来上がった固形描画材は、見た目としては植物の優しい色で十分なものの、紙や描画対象に実際に描くと描画軌跡に現れる色が薄く安定しないという問題が残っていた。
【００１６】
そこで、描画軌跡に現れる色を濃くするために粉末の色材の割合を多くしてみた。しかし、色材が多くなると、出来上がった固形描画材が崩れやすくなってしまい、描画しているとすぐに折れてしまうという問題が生じた。
【００１７】
次に、描画軌跡に現れる色を濃くするために、複数色の顔料を混ぜて似たような色となるようにし、これを植物の粉末に加えて色材とすることを考えた。しかし、試してみると、固形描画材として必要な硬度と描画軌跡の濃度は得られたものの、描画軌跡に現れる色が鮮やかな顔料の色になってしまい、植物の良さが失われてしまった。
【００１８】
その後、植物の粉末の色を活かしたくとも、植物の粉末の量を増やすと崩れやすくなって固形描画材として使用できないものになり、顔料を入れると目的とする自然の温もりが失われ、形成材の材料を変えてみても溶かす温度が高くなってしまうと粉末が焦げることから、植物の優しい色合いを出す固形描画材の実現は不可能ではないかと思われた。
【００１９】
そしてあるとき、植物の粉末に対する顔料の割合を調整し、植物の粉末が焦げない温度で溶かしたワックスに混合するという無理だと思われた方法で、植物の優しい色合いを描画軌跡に十分な濃さでそのまま表すことができ、固形描画材として簡単に折れない硬度を確保した固形描画材の開発に成功した。
【００２０】
以下、この発明の一実施形態を図面も用いて説明する。  
＜成分＞
本実施形態の固形描画材は、クレヨンであり、形成材と油材と色材により構成されている。
【００２１】
形成材は、ワックス、ゲル化剤、あるいは粘土等とすることができ、ワックスとすることが好ましい。ワックスは、動・植物系ワックス、石油系ワックス、鉱物系ワックス、または合成ワックス等、適宜のワックスを用いることができる。動・植物系ワックスは、ライスワックス、カルナウバワックス、キャンデリラワックス、密ロウ、木ロウ、または牛脂等を用いることができる。石油系ワックスは、パラフィンワックス、またはマイクロクリスタリンワックス等を用いることができる。鉱物系ワックスは、モンタンワックス等を用いることができる。合成ワックスは、ポリエチレンワックス、またはチーグラー触媒を用いて得られたポリプロピレンワックス等を用いることができる。このワックスは、児童や幼児が誤って食しても安全にするためにライスワックスなど可食性のものを採用することが好ましい。形成材は、前記の各材料を単独でまたは組み合わせて用いることができる。
【００２２】
油材は、米油、流動パラフィン、ミネラルオイル、マシン油、スピンドル油、ヤシ油、またはヒマシ油等のオイルを用いることができる。油材は、前記の各材料を単独でまたは組み合わせて用いることができる。この油材は、児童や幼児が誤って食しても安全にするために米油など可食性のものを採用することが好ましい。
【００２３】
色材は、少なくとも植物色材（描画軌跡の色を構成する材料であって所望の色を有する植物そのものを加工したもの）が用いられ、好ましくは植物色材と補助顔料（顔料）とで構成される。植物色材は、対象となる植物の対象部位（所望部位）を乾燥加工および粉砕加工した植物粉末によって構成される。乾燥加工は、真空凍結乾燥、蒸気乾燥、自然乾燥、あるいはその他の乾燥技術を用いるとよい。粉砕加工は、６０メッシュ以上とすることが好ましく、８０メッシュ以上とすることがより好ましい。これにより、描画に際するザラツキを防止し、より滑らかな描き味を達成できる。
【００２４】
植物色材の対象となる植物は、とうもろこし、黒豆、とうがらし、カボチャ、ふきのとう、こまつな、ほうれん草、ネギ、キャベツ、ながいも、人参、りんご、山葡萄、または栗等、適宜の植物を用いることができる。また、対象部位（所望尾部位）は、植物の特徴的な色を有する部位とすることができ、前記対象となる植物の食用部、皮、または食用部と皮、あるいは加工栗残渣等、所望の色を有する部位を用いることができる。これらの植物色材は、前記の各材料（１種類の植物）を単独で用いることが好ましいが、複数の材料を混合してもよい。植物色材は、描画軌跡において前記対象部位の自然の色をなるべくそのまま発色する機能を有している。
【００２５】
補助顔料は、無機顔料、有機顔料、白色顔料、または蛍光顔料等が用いられる。無機顔料としては、例えば、弁柄、群青、紺青、カーボンブラック等が用いられる。白色顔料としては、例えば、酸化チタン、亜鉛華、硫化亜鉛、アルミナホワイト等が用いられる。有機顔料としては、例えば、フタロシアニン系、アゾ系、キナクリドン系、ジオキサジン系、ジケトピロロピロール系等が用いられる。これらの補助顔料は、補助対象となる植物色材の色に合わせて前記の各材料を複数混合して用いられるか単独で用いられる。この補助顔料は、描画軌跡における植物色材の発色を補助して濃く表示されるようにし、経時的変化によって発色しなくなる事を防止する。
【００２６】
＜製造方法＞
まず、油材と植物色材と補助顔料を混合・撹拌して均質な色素原料を得る。ここで、油材と植物色材と補助顔料は、３種類をまとめて混合して色素原料を得る、あるいは２種類ずつ混合し最後にまとめて混合して色素材料を得るなど適宜の方法で混合できる。好ましい混合方法としては、油材と植物色材を混合してミキサー等で撹拌して植物色材ペーストを得、油材と補助顔料を混合してロールミルでさらに細かく（例えば粒径３０μｍ以下に）すり潰して補助顔料ペーストを得、この植物色材ペーストと補助顔料ペーストを混合して色素原料を得ることが好ましい。
【００２７】
次に、加熱した熱釜内で形成材を十分溶解した溶解液に、前記混合材を混合して撹拌し均質な描画材原料を得る。このときの加熱温度は、８５℃〜１４０℃とすることが好ましく、９０℃〜１１０℃とすることがより好ましく、９５℃程度とすることが好適である。  
得られた描画材原料を型枠に流し込み、型枠内で徐冷し硬化した後に離型することで、円柱の一端が先細りしたペンシル形状のクレヨンが得られる。このとき、５５℃〜７０℃、好ましくは６０℃に加熱した型枠に描画材原料の流し込み、その後に徐冷することで、急速な冷却を防止する。徐冷は、２０℃程度まで行えば良いが、これに限らず、少なくとも描画材原料が硬化する温度まで徐冷すれば良い。
【００２８】
＜配合＞
植物色材は、固形描画材の全量に対して、３６重量％以下とすることができ、５重量％〜３０重量％とすることが好ましく、１０重量％〜２０重量％とすることがより好ましい。
【００２９】
補助顔料は、固形描画材の全量に対して、一般的なクレヨンで使用される分量よりも少ない量とし、例えばその分量の補助顔料では十分な発色が得られない量とする。具体的には、補助顔料は、固形描画材の全量に対して、３０重量％未満とすることができ、２０重量％未満とすることが好ましく、１０重量％未満とすることがより好ましく、１重量％〜７重量％とすることがさらに好ましく、２重量％〜５重量％とすることが好適である。
【００３０】
この補助顔料は、植物色材の分量に対して同量以下とすることができ、植物色材の量より少なくすることが好ましく、植物色材の量に対して５０重量％以下とすることがより好ましく、植物色材の量に対して２５重量％以下とすることがさらに好ましい。また、補助顔料を配合する下限値については、植物色材の量に対して、５重量％以上とすることができ、１０重量％以上とすることが好ましく、２０重量％以上とすることが好適である。
【００３１】
植物色材と補助顔料を合わせた色材の量は、固形描画材の全量に対して４０重量％以下とすることができ、固形描画材の全量に対して３０重量％以下とすることが好ましい。
【００３２】
植物色材と補助顔料を合わせた色材の量は、植物色材と補助顔料と米油を合わせた色素原料の量に対して０．２重量％〜６０重量％とすることができ、３０重量％〜５５重量％とすることがより好ましく、４０重量％〜５０重量％とすることが好適である。
【００３３】
油材と植物色材と補助顔料を混合した色素原料は、固形描画材の全量に対して０．１重量％〜６０重量％とすることができ、２０重量％〜３５重量％とすることが好ましい。
【００３４】
形成材は、固形描画材の全量に対して、残部とすることができ、具体的には９９．９重量％〜４０重量％とすることができ、８０重量％〜６５重量％とすることがより好ましい。
【実施例】
【００３５】
以下、実施例を挙げて説明するが、本発明はこの実施例に限定されるものではない。下記の実施例１および比較例１，２は、植物色材、補助顔料、および油材を下記の配合で混合し撹拌して色素原料を得た後、９５℃で溶かした形成材の溶液中にこの色素原料を投入して混合および撹拌し、得られた描画材原料を金型（型枠）に流し込み２０℃程度まで徐冷し、離型してクレヨンを得たものである。
【００３６】
＜実施例１＞  
植物色材：りんご粉末１５重量％
補助顔料：混合顔料２重量％
（混合顔料内訳）黄色顔料（黄４号）：０．１８重量％，
白色顔料（酸化チタン）：０．６重量％，
赤色顔料（赤３号）：１．２重量％，
茶色顔料（酸化鉄）：０．０２重量％
油材：米油１７重量％
形成材：ライスワックス：６６重量％
【００３７】
＜比較例１＞  
植物色材：りんご粉末１７重量％
補助顔料：なし
油材：米油１７重量％
形成材：ライスワックス：６６重量％
【００３８】
＜比較例２＞  
植物色材：りんご粉末７重量％
補助顔料：混合顔料１０重量％
（混合顔料内訳）黄色顔料（黄４号）：０．９重量％，
白色顔料（酸化チタン）：３重量％，
赤色顔料（赤３号）：６重量％，
茶色顔料（酸化鉄）：０．１重量％
油材：米油１７重量％
形成材：ライスワックス６６重量％
＜結果＞
実施例１
描画軌跡の濃度：◎（十分）
描画軌跡の色合い：◎（りんごのやさしい色）
比較例１
描画軌跡の濃度：×（薄いため不十分），
描画軌跡の色合い：○（りんごのやさしい色だが薄いために見づらい）
比較例２
描画軌跡の濃度：◎（十分），
描画軌跡の色合い：×（鮮やかすぎてりんごのやさしさが無い）
※上記各結果の「色合い」は、色相及び彩度の意味合いで用いている。
【００３９】
＜製品＞
製品は、外装ケースと収容ケースからなる包装容器と、収容ケースに収容された１０本のクレヨンとで構成されている。各クレヨンは、同じ大きさのペンシル形状で、円筒形部分の外周が包装紙でくるまれて色の名前（植物色材の名前）が表記されている。色の名前（植物色材の名前）は、例えば、ほうれんそう、こまつな、ふきのとう、ながいも、にんじん、かぼちゃ、りんご、やまぶどう、くり、およびくろまめとするなど、適宜の名前とすることができる。
【００４０】
以上の製法および構成により、植物のやさしい色合いを描画軌跡にそのまま発色させることのできる固形描画具を提供することができる。これにより、植物の優しい色合いを有する絵を誰もが容易に描けるようになる。従って、児童や幼児が本発明の固形描画具を用いて野菜や果物等を描くと、植物のやさしい色合いを有する自然な絵を容易に描くことができる。特に、固形描画具には、色として植物色材に採用した植物そのものの名前を記載しているため、りんごをりんご色で描く、ほうれん草をほうれん草色で描くといったことができる。このように素材そのものの色を使用して描くことができるため、日常生活で食すことの多い色を使ってスケッチしたり、絵画を描いたりすることができ、一段と親しみ深いものにすることができる。
【００４１】
固形描画材で描画した描画軌跡の色合いは、植物色材そのものの色と同一若しくは近似するやさしい色、すなわち色相および彩度が同一若しくは近似するやさしい色となる。
【００４２】
また、植物色材に対する補助顔料の割合を調整しているため、植物色材そのものの色と色素および彩度を同一若しくは近似させたまま描画軌跡の濃度を十分な濃度とすることができる。
【００４３】
また、固形描画材は、植物の持つやさしい色合いを描画できる機能を保持しつつ、描いているときに簡単に折れない十分な硬度を有する。  
また、固形描画材は、紙やキャンバス等の描画対象に描くと、その摩擦によって十分な色が描画対象に付着し、しっかりと描画することができる。  
また、固形描画材そのものの色も、植物のもつやさしい色合いとなるため、目に優しく、利用者に自然の温かみを感じさせることができる。
【００４４】
実施例に示したように形成材および油材にも可食性のものを用いた場合は、児童や幼児など人が誤って口にいれても無害であり、安心して利用することができる。また、食用に利用されないキャベツの外葉や、これまで残渣として処理されていた栗の皮、廃棄処理される竹材等を植物色材に利用できるため、植物の廃棄部分を有効利用することができる。
【産業上の利用可能性】
【００４５】
この発明は、紙やキャンバス等の描画対象に描くと摩擦によって色が描かれる様々な種類の固形描画材に利用することができる。